(57)【要約】  【課題】型枠材へ釘を打ち付けるときに、確実に釘頭を支持することができ、かつ釘を打ち込む際に本体との位置関係を気にすることなく、ハンマー等で確実かつ容易に釘打ちすることができる釘打ち込み部の構造を提供すること。  【解決手段】コンクリート埋設部材を介して釘を打ち込むことができるように、本体部に隣接して釘支持部が設け、この釘支持部を、打ち込まれる釘の頭部の高さと略同一の高さだけ隣接する本体部より低い位置に設けた。  【選択図】図１
2008167653.tif 000002
【特許請求の範囲】
【請求項１】
コンクリート壁内に埋設されるコンクリート埋設部材をコンクリート打設用の型枠材へ固定するために、コンクリート埋設部材に設けられた釘打ち込み部の構造であって、
コンクリート埋設部材の本体部から隣接して形成された延設部と、上方から釘が打ち込み可能であるとともに、前記打ち込まれた釘の頭部を支持する釘支持部と、
前記釘支持部を前記釘の頭部の高さと略同一の高さ分だけ前記延設部より低く形成すべく、該延設部と釘支持部との間に設けられる段差と、を備え、
前記釘支持部に打ち込まれた釘を除去するため、前記釘の頭部と隣接する位置に前記段差が形成されるとともに前記段差には該釘の頭部を延設部裏側に移動可能とする釘頭通過部が設けられ、前記釘支持部には前記釘の頭部の移動とともに、釘の軸部を延設部裏側又は釘支持部裏側に移動可能とする釘軸通過部が設けられることを特徴とするコンクリート埋設部材の釘打ち込み部の構造。
【請求項２】
釘全体を釘頭通過部と平行に移動することにより、釘の頭部及び釘の軸部を裏側に通過できるように形成されていることを特徴とする請求項１に記載のコンクリート埋設部材の釘打ち込み部の構造。
【請求項３】
釘の軸部を支点にして釘の頭部を回動することにより、釘の頭部及び釘の軸部を裏側に通過できるように形成されていることを特徴とする請求項１又は２に記載のコンクリート埋設部材の釘打ち込み部の構造。
【請求項４】
釘を回動させるときに、釘の軸部を支持するための軸支部を備えていることを特徴とする請求項３に記載のコンクリート埋設部材の釘打ち込み部の構造。
【請求項５】
本体部の裏側に打設コンクリートが流入しないようにコンクリート埋設部材の裏側で、かつ釘支持部と本体部との間に仕切が設けられていることを特徴とする請求項１から４のいずれか１項に記載のコンクリート埋設部材の釘打ち込み部の構造。
【請求項６】
釘頭通過部又は／及び釘軸通過部には、薄膜が形成されていることを特徴とする請求項１から５の何れか１項に記載のコンクリート埋設部材の釘打ち込み部の構造。
【発明の詳細な説明】
【技術分野】
【０００１】
本発明は、コンクリート壁内に埋設して使用される配線ボックス、電線管端末保護具等のコンクリート埋設用部材を、コンクリート打設用の型枠材へ固定するための釘打ち込み部の構造に関する。
【背景技術】
【０００２】
本発明者は、コンクリート埋設用部材をコンクリート打設用の型枠材に固定するための釘打ち込み部の構造として、挿通された釘頭を係止し、且つこの釘頭を軸方向に沿って釘軸の略半周を支持する支持部と、支持部の対向側に釘頭及び釘軸が通過可能な釘軸の軸方向に沿った釘抜き部とを備えたことを特徴とする構造について提案した（特許文献１参照）。
【０００３】
この釘打ち込み部の構造によれば、コンクリート壁面より突出した釘軸の先端部をペンチ等で挟んで、あるいはハンマー等で叩いて釘抜け部の方向へ移行させれば、釘頭及び釘軸は釘抜け部を通って支持部から離れ、その後、釘軸の先端部を下方へ引けばコンクリート埋設部材から取り除くことができる。
【発明の開示】
【発明が解決しようとする課題】
【０００４】
しかし、この構造の場合、釘支持部のすぐ近傍に釘抜け部を形成するための大きな段差を設ける必要があるので、ハンマー等が段差と接触して釘を打ち込みづらいという問題点があった。
【０００５】
このような問題点を解決する手段として、内部が空間状の開口部を有するケース体の開口側外周部に仮付け用の突出部を備えているとともに、同突出部に釘の通される貫通孔が底面側に向けて設けられ、かつ貫通孔の入り口側の部分が薄膜で塞がれている構造のものがあった（特許文献２参照）。
【０００６】
この釘打ち込み部の構造によれば、取り付けに使用した釘は、型枠材を取り外した後に前記貫通孔から突出する釘の先端を工具等で把持し、釘頭で薄膜を破って釘を除去することができるため、釘頭を側方に抜くための釘抜け部を釘打ち込み部の近傍に設ける必要がないので、ハンマー等の打ち込みを邪魔することはない。
【０００７】
しかしながら、この従来例のように、貫通孔の入り口部分を薄膜で塞ぐという手段を採用すると、釘をハンマー等で打ち込むときに、釘頭によって薄膜を破り釘頭が薄膜内に埋没してしまうといった問題点があった。時には釘を打ち込みすぎて裏側に釘が抜けてしまい型枠材を全く固定することができない場合さえ発生した。
【０００８】
【特許文献１】実公昭６３−１６７７３号公報
【特許文献２】実公平６−２６０２３号公報（第２頁、第２図）
【０００９】
そこで、本発明は以上のような問題を解決するためになされたものであり、本発明が解決しようとする課題は、ハンマー等の工具が本体部と接触することを気にすることなく、確実かつ容易に釘を打ち付けることができるとともに、釘の埋没を気にすることなく打ち込むことができるコンクリート埋設部材の釘打ち込み部の構造を提供することにある。
【課題を解決するための手段】
【００１０】
以上のような問題点を解決するために請求項１に記載した発明が採った手段は、コンクリート壁６０内に埋設されるコンクリート埋設部材５０をコンクリート打設用の型枠材７０へ固定するために、コンクリート埋設部材５０に設けられた釘打ち込み部の構造であって、コンクリート埋設部材５０の本体部１０から隣接して形成された延設部１６と、上方から釘が打ち込み可能であるとともに、前記打ち込まれた釘の頭部３１を支持する釘支持部１１と、前記釘支持部１１を、前記釘の頭部３１の高さと略同一の高さ分だけ前記延設部２０より低く形成すべく、該延設部１６と釘支持部１１との間に設けられる段差１２と、を備え、前記釘支持部１１に打ち込まれた釘３０を除去するため、前記段差１２には、該釘の頭部３１を延設部１６裏側に移動可能とする釘頭通過部１４が設けられ、前記釘支持部１１には、前記釘の頭部３１の移動とともに、釘の軸部３２を延設部１６又は釘支持部１１裏側に移動可能とする釘軸通過部１４が設けられることを特徴とするコンクリート埋設部材５０の釘打ち込み部の構造、とするものである。
【００１１】
請求項２に記載の発明が採った手段は、釘３０全体を釘頭通過部１３へ平行に移動することにより、釘の頭部３１及び釘の軸部３２を裏側に通過できるように形成されていることを特徴とする請求項１に記載のコンクリート埋設部材５０の釘打ち込み部の構造、とするものである。
【００１２】
請求項３に記載の発明が採った手段は、釘の軸部３２を支点にして釘の頭部３１を回動することにより、釘の頭部３１及び釘の軸部３２を裏側に通過できるように形成されていることを特徴とする請求項１又は２に記載のコンクリート埋設部材５０の釘打ち込み部の構造、とするものである。
【００１３】
請求項４に記載の発明が採った手段は、釘３０を回動させるときに、釘の軸部３２を支持するための軸支部１７を備えていることを特徴とする請求項３に記載のコンクリート埋設部材５０の釘打ち込み部の構造、とするものである。
【００１４】
請求項５に記載の発明が採った手段は、本体部１０の裏側に打設コンクリートが流入しないようにコンクリート埋設部材５０の裏側で、かつ釘支持部１１と本体部１０との間に仕切１８が設けられていることを特徴とする請求項１から４のいずれか１項に記載のコンクリート埋設部材５０の釘打ち込み部の構造、とするものである。
【００１５】
請求項６に記載の発明が採った手段は、釘頭通過部１３又は／及び釘軸通過部１４には、薄膜１９が形成されていることを特徴とする請求項１から５の何れか１項に記載のコンクリート埋設部材５０の釘打ち込み部の構造、とするものである。
【発明の効果】
【００１６】
以上のように、本発明の請求項１記載のコンクリート埋設部材の釘打ち込み部の構造によれば、釘支持部が前記釘の頭部の高さと略同一の高さ分だけ前記本体部より低く形成されているので、コンクリート埋設部材を型枠材に釘で固定するときに、本体部がハンマー等と干渉して、釘打ちを妨げられることなく容易かつ迅速に釘打ちをすることができる。また、釘頭通過部を釘支持部の側方に設けることによって、釘の除去を確保するとともに釘の打たれる場所で釘の頭部を確実に支持できるようになる。さらに、本体部の端部に延設部をさらに設けてあるので、釘打ちに最適な高さ及び大きさで釘支持部を設けることができる。
【００１７】
さらに、請求項２に記載の発明によれば、釘を平行に移動することで容易に釘を除去することができ、請求項３に記載の発明によれば、釘を回動させて釘を除去することができる。さらに、請求項３及び請求項４の双方を兼ね備えた発明にすれば、いずれの方法によっても釘を除去することができるので、コンクリート埋設部材の配置された場所によって適宜使い分けることにより容易に釘の除去作業が行える。さらに、請求項４に記載の発明によれば、釘の軸部を支点にして回動することができるので弱い力で釘を除去することができるようになる。
【００１８】
さらに、請求項５に記載の発明によれば、釘頭通過部又は釘軸通過部から生コンクリートが流入しても、この仕切によりコンクリートが本体部に流入するのを防止することができる。さらに、請求項６に記載の発明によれば、釘頭通過部又は釘軸通過部に薄膜を形成することにより、この薄膜によってコンクリートの流入を防止することができる。
【００１９】
さらに、請求項７に記載の発明によれば、請求項１と同様の作用効果を有したコンクリート配設部材を提供することができる。
【発明を実施するための最良の形態】
【００２０】
本発明の釘打ち込み部が設けられるコンクリート埋設部材とは、本体の一部を露出させつつコンクリート壁面や天井等に埋設されるものをいう。したがって、本体の一部をコンクリート表面に露出して配設されるものであれば、その使用目的、使用方法等については限定するものではない。また、例えば、開口部を有するカバー部材に電線管やコネクター等の配線を挿入して使用される配線ボックス、埋設用電線管の端末保護に使用される電線管端末保護具、吊りボルトを固定するのに使用されるインサート等が考えられる。なお、本体の一部が露出しつつ配設されるとしたのは、本コンクリート埋設部材の取り付け方法から結果的にコンクリート表面に露出して配設されるからである。従って、特にコンクリート埋設部材が表面に露出されることによって種々の作用を有することは必要とされるわけではない。よって、コンクリート埋設部材は、如上した配線ボックス等を取り付けるための中間部材等であってもかまわない。
【００２１】
以上のコンクリート埋設部材は、型枠材に釘で仮付けされた後、型枠材内に生コンクリートが打設され、コンクリートが硬化した後に型枠材が取り外されてコンクリート壁内に設置される。このとき型枠材を固定するのに使用した釘がコンクリート埋設部材に残されているので、コンクリート埋設部材の裏側から釘が除去されて完成する。本発明は、このようなコンクリート埋設部材を型枠材に釘で固定し、かつ固定した釘を除去するための釘打ち込み部の構造及びこの構造を有しているコンクリート埋設部材を提供するものである。なお、本明細書において、コンクリート埋設部材の「表側」とは、釘を打ち込む側をいい、「裏側」とは、釘を引き抜く側をいう。
【００２２】
本発明の釘打ち込み部の構造は、コンクリート埋設部材を介して型枠材に釘を打ち込むことができるように、本体部に隣接して釘支持部が設けられている。釘支持部は、釘を打ち込み可能であるとともに、釘の頭部を確実に上面で係止できるように設けられる。釘の頭部を支持するための構成としては、釘が打ち込まれる孔の周囲が破れたり、へこんだりしないように釘孔の周囲の板厚を厚く設けたり、又は裏側にリブを設けて釘孔の周囲を補強したりする等の構成が考えられるが、これらに限定されるものではない。このような構成を採用したのは、ハンマー等で釘を打ち込んだときに釘の頭部が裏側に埋没することを防止するためである。
【００２３】
また、釘支持部は、隣接する本体部より打ち込まれる釘の頭部の高さと略同一の高さだけ低い位置に設けられている。これは釘支持部が本体部に隣接して設けられているので、高さに大きな差を設けるとハンマー等で釘を打ち込むときに、本体部とハンマーが干渉して釘を打ち込みづらくなるからである。そこで、本体部と釘支持部との高さの差を釘の頭部と略同一の高さに形成して、ハンマー等で打ち込むときに本体部が邪魔にならないようにしたものである。
【００２４】
一方、釘支持部が一段低く設けられていることから、本体部と釘支持部との間で段差が形成されることになる。この段差には釘の頭部を本体部の裏側に通過することができる釘頭通過部が設けられている。段差に釘頭通過部を設けたのは、支持部は釘の頭部を確実に支持できるように設けてあるので、釘の頭部を直接支持部裏側へ抜くことができない。そこで段差の側面を利用して側方方向に釘が引き抜けるようにするためである。この釘頭通過部の形状は、釘の頭部が通過可能であれば、その大きさ、形状等は特に限定するものではない。
【００２５】
一方、釘の頭部を釘頭通過部まで移動させるときに、釘の軸部も移動するので、釘の軸部の移動を確保するために釘支持部と釘頭通過部までの間に釘軸通過部が設けられている。この釘軸通過部は、釘の軸部が通過できるように釘の軸部の幅と同じ幅もしくは広く設けられるが、釘の頭部は裏面側に引き抜くことができないように釘の頭部よりは狭く形成することが望ましい。なお、この釘頭通過部及び釘軸通過部には、裏側から工具を使って釘を移動させることによって破くことができる程度の薄膜を形成してもよい。このような薄膜を形成しておけば、コンクリート埋設部材を型枠材に固定した後、生コンクリートを打設するときに、釘頭通過部及び釘軸通過部から生コンクリートが内部に侵入することを防止することができる。また、コンクリート埋設部材の裏側で、かつ釘支持部と本体部との間に仕切を設けておけば、もし釘頭通過部や釘軸通過部から生コンクリートが流入しても、仕切によって本体部内にまで生コンクリートが流入することは防止することができる。
【００２６】
ところで、本明細書で使用されている「釘の頭部の高さと略同一の高さ」とは、これまで説明したように「段差に設けられた釘頭通過部から釘の頭部を本体部の裏側に通過することができるように、釘頭通過部を設けられるように釘の頭部より若干高く形成されているとともに、釘の頭部より若干高く段差が形成されつつも、ハンマー等の工具を用いて打ち込んだときに釘を十分に打ち込むことができる高さ」をいう。よって、本体部によって多少邪魔がされつつもハンマー等に釘を十分に打ち込むことができる程度の高さに形成されてあれば、本発明の「釘の頭部の高さと略同一の高さ」に含まれる。勿論、釘をより打ち込みやすくするためには、釘の頭部の高さとほぼ同様の高さに形成するとよい。ただし、段差を低く形成すればするほど、本体部を形成する部材の厚みによって段差が大きくなるので、このような場合には、隣接する本体部の支持部近傍の上面を削ることによって段差を低く形成することもできるし、また本体部の部材自体を削って釘頭通過部を形成してもよい。このとき本体部に設けられる釘頭通過部の形状は特に限定するものではない。
【００２７】
このようにして構成された釘打ち込み部の構造によれば、型枠材が取り去られた後、コンクリート埋設部材の裏側に飛び出している釘の先端を把持して釘の頭部は釘頭通過部を通して、釘の軸部は釘軸通過部を通すことにより、裏側に釘を取り去ることができる。このときの除去方法としては、釘全体を釘頭通過部へ平行に移動して裏側に除去してもよいし、釘の軸部の任意の点を支点にして釘の頭部を回動させて裏側に除去してもよい。このときに、釘を回動しやすくするために、釘の軸部を支持できるように軸支部を裏側に設けるとよい。
【００２８】
また、本体部から延設部を形成してこの延設部に設けられている。すなわち、延設部に釘が打ち込み可能であるとともに、この釘の頭部を支持できる釘支持部を形成し、この釘支持部を釘の頭部の高さと略同一の高さ分だけ前記延設部より低く形成する。そして、延設部と釘支持部との間に段差を形成し、この段差に釘頭通過部を、釘頭通過部と釘支持部との間に釘軸通過部が形成される。
【実施例】
【００２９】
さて、以上のように構成された本発明の好適な実施例について、図面に沿って説明する。尚、図１から図９は、本発明の参考例を示す。図１０、及び図１１は、本発明の実施例１を示し、図１２、及び図１３は、本発明の実施例２を示す。
【００３０】
（参考例）
図１から図９は、本発明の参考例を示す。図１は参考例の釘打ち込み部の構造を有するコンクリート埋設部材５０の斜視図である。図２は図１のコンクリート埋設部材の裏面を表す斜視図である（コネクターは省略してある）。図３は、コンクリート埋設部材５０を仮型枠７０に釘３０で固定した状態を示すＡ−Ａ断面図である。
【００３１】
参考例においては、コンクリート埋設部材５０として、裏側が開口され、内部が中空のカバー状に形成されたＣＤ管やＰＦ管を取り付ける管接続用カバーを用いている。このコンクリート埋設部材５０は、ＣＤ管やＰＦ管を取り付けることができるようにコネクターが取り付け自在に形成されている。コネクターとカバーとの両方に螺刻されていて、このコネクターはロックナットを用いることなく、ねじ込むだけで取り付けられる（図示しない）。勿論、コンクリート埋設部材はこれらに限定するものではない。
【００３２】
参考例における釘打ち込み部の構造は、コンクリート埋設部材５０の両端部に設けられている。コンクリート埋設部材５０の両端には、コネクター等の取り付け機能を有する本体部１０に隣接して釘支持部１１が設けられていて、釘支持部１１はその内側にある本体部１０より一段低く形成されている。そして、本体部１０と釘支持部１１が設けられる面１１ａとの間に段差１２が形成されている。段差１２の高さは、使用される釘の頭部３１の高さと略同一の高さに設けられる。この高さは使用される釘の頭部３１の高さによって適宜選択して設計される。
【００３３】
釘支持部１１は、釘の軸部３２の軸径とほぼ同様の大きさの釘孔１１ｂと、釘孔１１ｂに釘３０を打ち込んだときに釘の頭部３１を支持できる釘孔１１ｂの周囲の平面１１ａによって形成されている。さらに、参考例においては、釘の頭部３１を確実に支持できるように孔周囲の裏面にはリブ２０が設けられている。このリブ２０のうち釘孔１１ｂの裏面の部分は、釘の軸部３２と同様の形状の円形部を有していて（２０ａ参照）、釘３０が打ち込まれる方向を案内する。また打ち込まれた釘の軸部３２が不用意に移動しないようにリブ２０の中腹にはわずかな移動防止突起２０ｂが設けられている。このようにリブ２０は釘３０を保持する役割と釘３０を除去するときに釘の軸部３２移動を案内する役割を果たしている。なお、コンクリート埋設部材５０の裏側のうち、釘３０を除去するときに釘の軸部３２を移動させる方向は、釘の移動を確保するために開放して形成されている（図２の２０ｃの部分参照）。
【００３４】
一方、釘支持部１１が設けられる面１１ａには、段差１２に向かって釘の軸部３２が通過できるように釘軸通過部１４が設けられている。釘軸通過部１４は、釘の軸部３２の幅とほぼ同様の幅の開口溝からなり、その表面には釘の軸部３２で容易に破ける程度の薄膜１９が設けられている。釘軸通過部１４は、釘の軸部３２は通過可能であるが、釘の頭部３１は通過できないような幅の開口溝で形成されている。
【００３５】
そして、段差１２には釘軸通過部１４と連続して釘頭通過部１３が形成されている。この釘頭通過部１３は、釘の頭部３１を通過できるように孔が設けられていて、その表面に釘の頭部３１で容易に破ける程度の薄膜１９が形成されている。このとき、釘の頭部３１と略同一の高さの段差１２を確保するために、本体部１０の上面の一部を削ってもよいし（図３のα参照）。本体部１０の上面を形成する部材に直接に釘頭通過部１３を形成してもよい（図５参照）。この本体部１０に直接釘頭通過部１３を形成する場合は、図５，６に示すように釘３０を回動させたときに、釘の頭部３１が通過する軌跡に併せて形成するとよい。また、図７に示すように釘支持部１１が設けられる面１１ａには、釘３０を打ち込んだときに釘の頭部３１と外周の壁とで上面が面一となるように、外周の壁を上方に突出して設けてもよい（図７のβ参照）。
【００３６】
さて、このようにして形成された釘打ち込み部の構造を有するコンクリート埋設部材５０は、以下のようにしてコンクリートに取り付けられる。まず、生コンクリートを打設する前に組み立てられた型枠材７０に、コンクリート埋設部材５０を当接し、釘孔１１ｂを通して釘３０を打ち込んで型枠材７０にコンクリート埋設部材５０を固定する。このとき段差１２が釘の頭部３１と略同一の高さに形成されているので、本体部１０によって釘打ちを邪魔されることなく、最後まで容易に釘３０を打ち込むことができる。そして、コンクリート内に配置される必要な管材等をコネクターを介して接続した後、型枠材７０内に生コンクリートを打設する。その後、コンクリートの硬化を待って、前記型枠材７０を取り外してコンクリート内に埋設される。しかし、コンクリート埋設部材５０には、型枠材７０に固定した釘３０がコンクリート壁から突出している。そこで、図４に示したように、飛び出した釘３０の先端を工具等で把持し、釘３０を平行に移動して釘軸通過部１４及び釘頭通過部１３の薄膜１９を破きつつ通過させてコンクリート埋設部材５０の裏側に除去する。若しくは図５のように釘軸通過部１４を形成した場合には、釘の軸部３２をコンクリート埋設部材５０の開口部の一部を軸支部１７として支点にして回動し釘軸通過部１４及び釘頭通過部１３を通過させて除去する（図６）。なお、図８のように開口部を開いて形成すれば、まず釘の頭部３１のすぐ下方に軸支部１７が形成される。したがって、釘の頭部３１及び釘の軸部３２を非常に弱い力で回動させて薄膜１９を通過させることができ、より容易に裏側へ除去することができる。さらに、図９のように釘の軸部３２の回動を支持する軸支部１７を上下に２つ設ければ、上の軸支部１７で釘の軸部３２を少し回動させて釘の頭部３１を釘頭通過部１３に近づけ、下方の軸支部１７で回動させて薄膜１９を破って通過させることができる。
【００３７】
（実施例１）
図１０、及び図１１は、本発明の実施例１を示す。図１０は実施例１に係る釘打ち込み部の構造を有するコンクリート埋設部材５０の斜視図が示されている（コネクターは省略する。）。図１１は図１０のＢ−Ｂ断面図である。
【００３８】
この実施例１におけるコンクリート埋設部材５０は、本体部１０の端に延設部１６が設けられている。延設部１６と本体部１０との間で、かつ裏側には本体部１０と延設部１６を遮るように仕切１８となるリブが形成されている。
【００３９】
延設部１６のさらに端部側には、釘支持部１１が延設部１６より一段低く形成され、参考例の本体部１０と釘支持部１１と同様に、延設部１６と釘支持部１１との間に段差１２が形成されている。この段差１２に釘頭通過部１３が設けられており、釘頭通過部１３から釘支持部１１まで釘軸通過部１４が形成されている。この実施例１では、釘頭通過部１３及び釘軸通過部１４に薄膜１９は設けられていない。
【００４０】
以上のように作製されたコンクリート埋設部材５０は、参考例と同様の方法でコンクリート壁内に埋設される。このとき、釘頭通過部１３及び釘軸通過部１４から生コンクリートが流入するおそれがあるが、本体部１０と延設部１６の間に遮るように仕切１８が設けられているので、本体部１０内に生コンクリートが流入することを防止することができる。
【００４１】
そして、埋設されたコンクリート埋設部材５０から飛び出た釘３０を参考例と同様に、釘３０を釘軸通過部１３と平行に移動するか、若しくは釘の頭部３１を回動させて釘３０を裏側に除去して終了する。
【００４２】
実施例１では、図１０、１１に示したように本体部１０自体がかなりの高さを有する場合には、本体部１０から釘の頭部３１と略同一の高さだけ釘支持部１１を低く形成するのみでは、釘支持部１１が非常に高い位置に設けられることになるため、長い釘を用いて固定しなければならない。そこで、このような比較的本体部１０が高く形成されている場合には、延設部１６を設ければ、釘支持部１１を低い位置に配置することができるため有効である。
【００４３】
（実施例２）
図１２、及び図１３は、本発明の実施例２を示す。図１２は実施例２に係る釘打ち込み部の構造を有するコンクリート埋設部材５０の斜視図が示されている。図１３は図１１の一部断面図である。
【００４４】
この実施例２に係る釘打ち込み部の構造を有するコンクリート埋設用部材５０は、配線用ボックスを空中に配置するための中間部材である。このコンクリート埋設用部材５０は、全体が板状で形成された本体部１０からなり、配線ボックスを取り付けるための種々の構造が板状体に施されている。これら構造の説明については、本発明とは関連が薄いので省略する。
【００４５】
一方、釘打ち込み部の構造は、コンクリート配設部材５０の端部に設けられている。本体部１０の端部側には、釘支持部１１が本体部１０より一段低く形成され、参考例の本体部１０と釘支持部１１と同様に、本体部１０と釘支持部１１との間に段差１２が形成されている。この段差１２に釘頭通過部１３が設けられており、釘頭通過部１３から釘支持部１１まで釘軸通過部１４が形成されている。
この実施例２においては、釘頭通過部１３と釘軸通過部１４は、図１３に示したように、釘の頭部及び釘の軸部を裏面に取り除くのに十分な範囲で板状体自体を削って設けられる。
【００４６】
以上のように作製されたコンクリート埋設部材５０は、型枠材７０に釘３０で固定した後、配設部材を取り付けた後、コンクリート壁内に埋設される。そして、埋設されたコンクリート埋設部材５０から飛び出た釘３０は、参考例と同様に釘３０を釘軸通過部１３と平行に移動するか、若しくは釘の頭部３１を回動させて釘３０を裏側から除去される。
【図面の簡単な説明】
【００４７】
【図１】参考例に係る釘打ち込み部の構造を有するコンクリート埋設部材を表す斜視図である。（参考例）
【図２】参考例に係る釘打ち込み部の構造を有するコンクリート埋設部材の裏側を表す斜視図である。（参考例）
【図３】参考例に係る釘打ち込み部の構造を有するコンクリート埋設部材のＡ−Ａ断面図である。（参考例）
【図４】図３に係る釘打ち込み部を係る釘打ち込み部の構造を有するコンクリート埋設部材に打ち込まれた釘を除去する方法を表すＡ−Ａ断面図である。（参考例）
【図５】参考例に係る釘打ち込み部の構造を有するコンクリート埋設部材の釘頭通過部の変化例を表すＡ−Ａ断面図である。（参考例）
【図６】図５に係る釘打ち込み部の構造を有するコンクリート埋設部材に打ち込まれた釘を除去する方法を表すＡ−Ａ断面図である。（参考例）
【図７】参考例に係る釘打ち込み部の構造を有するコンクリート埋設部材の支持部が形成される平面の変形例を示す断面図である。（参考例）
【図８】参考例に係る釘打ち込み部の構造を有するコンクリート埋設部材の軸支部の変化例を表すＡ−Ａ断面図である。（参考例）
【図９】参考例に係る釘打ち込み部の構造を有するコンクリート埋設部材の軸支部のさらなる変化例を表すＡ−Ａ断面図である。（参考例）
【図１０】実施例１に係る釘打ち込み部の構造を有するコンクリート埋設部材を表す斜視図である。（実施例１）
【図１１】実施例１に係る釘打ち込み部の構造を有するコンクリート埋設部材の裏側を表す斜視図である。（実施例１）
【図１２】実施例２に係る釘打ち込み部の構造を有するコンクリート埋設部材を表す斜視図である。（実施例２）
【図１３】実施例２に係る釘打ち込み部の構造を有するコンクリート埋設部材の一部断面図である。（実施例２）
【符号の説明】
【００４８】
１０      本体部
１１      釘支持部
１２      段差
１３      釘頭通過部
１４     釘軸通過部
１５      釘頭抜け部
１６      延設部
１７      軸支部
１８      仕切
１９      薄膜
３０      釘
３１      釘の頭部
３２      釘の軸部
５０      コンクリート埋設部材
６０      コンクリート壁
７０      型枠材
【図１】
2008167653.tif 000003
【図２】
2008167653.tif 000004
【図３】
2008167653.tif 000005
【図４】
2008167653.tif 000006
【図５】
2008167653.tif 000007
【図６】
2008167653.tif 000008
【図７】
2008167653.tif 000009
【図８】
2008167653.tif 000010
【図９】
2008167653.tif 000011
【図１０】
2008167653.tif 000012
【図１１】
2008167653.tif 000013
【図１２】
2008167653.tif 000014
【図１３】
2008167653.tif 000015